(57)【要約】      （修正有）【課題】出っ張りお腹を圧迫矯正するために、伸縮しない布地と平面スプリングを用いて、強制的に圧迫矯正する矯正下着を提供する。【解決手段】伸縮製布地でガードルを作成し、下腹部に伸縮しない逆三角形の布地をガードル布地に外側から重ね合わせて、両側を縫いつけ、上部は縫い付けず出し入れ用間口を設け、ガードルと逆三角形の布地の間はスプリング収納用空間を設け、ガードルの腰部右側前部からお尻の裏側を一周して、腰部左側前部に戻る帯状の伸縮しない布地５を縫い付け、逆三角形の布地の外側の上、中、下に横方向に帯状の伸縮しない布地６を縫い付け、スプリング収納用空間に、逆三角形の平面スプリングを出し入れ出来るようにして、圧迫矯正する矯正下着とした。【選択図】図３
0003163506.tif 000002
【実用新案登録請求の範囲】
【請求項１】
伸縮製布地でガードルを製作し、下腹部に伸縮しない逆三角形の布地をガードル布地に外側から重ね合わせ両側を縫い付け、上部は縫い付けず、出し入れ用間口を設け、ガードル布地と逆三角形の布地の間にはスプリング収納用空間を設け、金属製の線材を等間隔に往復させるとともに、蛇行幅を上端から下端にかけて漸次小さくなるようにし、全体がほぼ逆三角形で平面状になるように成形したスプリングを、出し入れ出来ることを特徴とする矯正下着。
【請求項２】
請求項１記載のガードルに、ガードルの腰部右側前部からお尻の裏側を一周して、腰部左側前部に戻る帯状の伸縮しない布地を縫い付け、下腹部の逆三角形の布地の外側の上、中、下に横方向に帯状の伸縮しない布地を縫い付け、スプリング収納用空間に、請求項１記載の逆三角形平面スプリングを入れ、圧迫矯正することを特徴とする矯正下着。
【考案の詳細な説明】
【技術分野】
【０００１】  本考案は下腹部の出っ張りお腹を、伸縮しない布と平面スプリングを用いて、強制的に一部分を圧迫矯正する下着に関するものである。
【背景技術】
【０００２】  従来製作されている矯正下着、ガードル等は伸縮製布で、全体的に身体を締め付けるだけで、一部分を矯正するには不向きである、スプリングを使用したのもあるが、針金が縦向きに使用してあり、前屈運動も出来ず形状に問題がある。
出っ張りお腹を圧迫矯正するには、伸縮しない布と平面スプリングを用いて、強制的に圧迫矯正する矯正下着が求められる。
【先行技術文献】
【０００３】  先行技術としてガードルやコルセットの素材として緊締力を有する材料やパワーネットを使用したものとして特許文献１、２、３がある。またスプリングを使用したものとして特許文献４、５があるが、形状設定に問題がある。
【特許文献】
【０００４】
【特許文献１】    特開平０９−５９８０８号
【特許文献２】    実登３０１０８６６号
【特許文献３】    実登３１０２７４２号
【特許文献４】    実公昭４２−７９０号
【特許文献３】    実開昭６４−１００１１号
【考案の概要】
【０００５】  本考案は、ガードルの下腹部に伸縮しない逆三角形の布、帯状の布を縫いつけ、スプリング収納用空間を設け平面スプリングを入れ込み、出っ張りお腹を強制的に圧迫矯正する矯正下着である。
【考案が解決しようとする課題】
【０００６】  従来の矯正下着、ガードル等は伸縮製布で、全体的に身体を締め付けるだけで、一部分を矯正するには不向きであり、使用者は満足していないのが現状である。
【課題を解決するための手段】
【０００７】  本考案は使用者が前項の問題点を解決しようとするものであり、その手段として図で説明すると、図１伸縮製布でガードル１を作成し、図２下腹部に伸縮しない逆三角形の布２の両側を縫いつけ、図２上部は縫い付けず、出し入れ用間口３を設け、ガードル１と逆三角形の布地２の間には、図６のスプリング収納用空間４を設け、図３のガードルの腰部右側前部からお尻の裏側を一周して、腰部左側前部に戻る帯状の伸縮しない布地５を縫い付け、図３逆三角形の布地２の外側の上、中、下に帯状の伸縮しない布地６を横方向に縫い付ける、スプリング収納用空間４に、図８の逆三角形の平面スプリング７を出し入れ出来るようにする。
【考案の効果】
【０００８】  本考案の矯正下着は矯正したいときに、矯正用平面スプリングを装着することで、出っ張りお腹を圧迫矯正でき、また自由に前屈活動ができ違和感無く、矯正しない時は矯正用平面スプリングを取り外して、普通のガードルとして使用できる。
【図面の簡単な説明】
【０００９】
【図１】伸縮性布地のガードル正面図
【図２】下腹部、伸縮しない逆三角形布地正面図
【図３】伸縮しない帯状の布地正面図
【図４】伸縮しない帯状の布地右側面図
【図５】ガードルの平面図
【図６】下腹部、逆三角形布地とスプリングの右断面図
【図７】スプリングの装着状態正面図
【図８】スプリングの正面図
【図９】スプリングの平面図
【図１０】スプリングの右側面図
【考案を実施するための形態】
【００１０】  本考案を実施する手段として、図面の番号をもって説明する。
図１伸縮製布地でガードル１を製作し、図２下腹部に伸縮しない逆三角形の布地２をガードル布地に外側から重ね合わせて、両側を縫いつけ、図３の上部は縫い付けず出し入れ用間口３を開けておく、ガードル１と逆三角形の布地２の間は図６のスプリング収納用空間４を設け、図３ガードルの腰部右側前部からお尻の裏側を一周して、腰部左側前部に戻る帯状の伸縮しない布地５を縫いつけ、図３逆三角形の布地２の外側の上、中、下に帯状の伸縮しない布地６を横方向に縫い付け、図６のスプリング収納用空間４に、図８の逆三角形の平面スプリング７を出し入れ出来るようにすることで、本考案の矯正下着が出来る。
【実施例】
【００１１】  本考案の実施例について説明する、平面スプリング７をスプリング収納用空間４より取り外した矯正下着を身に付け、平面スプリング７をスプリング収納用空間４に入れ込むことで、矯正下着として活用できる。
矯正下着を、身に付ける、脱ぐ、洗濯、収納等は平面スプリング７を取り外しておこなう。
【産業上の利用可能性】
【００１２】  本考案は、装着しても自由に活動出来、出っ張りお腹も矯正できる為、女性用矯正下着として極めて有用である。
【符号の説明】
【００１３】１  伸縮製布地ガードル
２  逆三角形の伸縮しない布地
３  出し入れ用間口
４  スプリング収納用空間
５  帯状の伸縮しない立て布地
６  帯状の伸縮しない横布地  上、中、下
７  逆三角形の平面スプリング
８  針金端部の溶接箇所
【図１】
0003163506.tif 000003
【図２】
0003163506.tif 000004
【図３】
0003163506.tif 000005
【図４】
0003163506.tif 000006
【図５】
0003163506.tif 000007
【図６】
0003163506.tif 000008
【図７】
0003163506.tif 000009
【図８】
0003163506.tif 000010
【図９】
0003163506.tif 000011
【図１０】
0003163506.tif 000012
【手続補正書】
【提出日】平成22年7月28日(2010.7.28)
【手続補正１】
【補正対象書類名】実用新案登録請求の範囲
【補正対象項目名】全文
【補正方法】変更
【補正の内容】
【実用新案登録請求の範囲】
【請求項１】
伸縮製布地でガードルを製作し、下腹部に伸縮しない逆三角形の布地をガードル布地に外側から重ね合わせ両側を縫い付け、上部は縫い付けず、出し入れ用間口を設け、ガードル布地と逆三角形の布地の間にはスプリング収納用空間を設け、金属製の細い弾性のある線材を等間隔に往復させ、蛇行幅を上端から下端にかけて漸次小さくなるようにし、全体がほぼ逆三角形で平面状になるように成形したスプリングを、前記のスプリング収納用空間に出し入れすることを特徴とする矯正下着。
【請求項２】
前記ガードルに、ガードルの腰部右側前部から、お尻の裏側を一周して、腰部左側前部に戻る帯状の伸縮しない布地を縫い付け、下腹部の逆三角形の布地の外側の上、中、下段に横方向に帯状の伸縮しない布地を縫い付け、スプリング収納用空間に、前記逆三角形平面スプリングを入れ、圧迫矯正することを特徴とする請求項１記載の矯正下着。